(57)【要約】  【課題】部品点数が少ない安価な高速伝送用のケーブル側コネクタを提供する。  【解決手段】ケーブル４１のグランド信号線と接続するグランドコンタクト４ａを具え、外周が導電性のシェル４で覆われるケーブル側コネクタ１において、シェル４とグランドコンタクト４ａとを一体形成するようにしている。【選択図】図２
2006100105.tif 000002
【特許請求の範囲】
【請求項１】
ケーブルのグランド信号線と接続するグランドコンタクトを具え、外周が導電性のシェルで覆われるケーブル側コネクタにおいて、
前記グランドコンタクトと前記シェルとを一体形成するようにしたことを特徴とするケーブル側コネクタ。
【発明の詳細な説明】
【技術分野】
【０００１】
この発明は、ノート型パソコン等の小型電子機器内に使用されるコネクタであって、基板とケーブル等とを接続するコネクタに関し、特に、ケーブル等に接続するケーブル側コネクタに関する。
【背景技術】
【０００２】
従来から、ノート型パソコン等の小型電子機器内に配設されたマザーモード等のメイン基板にケーブルやフレキシブル印刷配線基板を接続させる装置としてコネクタが使用されている。
【０００３】
例えば、メイン基板（以下、「基板」という。）にフレキシブル印刷配線基板（以下、「ＦＰＣ」という。）の接続端子を接続させる装置としてフレキシブル印刷配線基板用コネクタ（以下、「ＦＰＣ用コネクタ」という。）が使用されており、また基板にフレキシブルフラットケーブル（以下、「ＦＦＣ」という。）の接続端子を接続させる装置としてフレキシブルフラットケーブル用コネクタ（以下、「ＦＦＣ用コネクタ」という。）が使用されている。また、基板に極細線同軸ケーブル（Ｓｍａｌｌ  Ｇａｇｅ  Ｃｏａｘｉａｌ  Ｃａｂｌｅ）（以下、「ＳＧＣ」という。）の接続端子を接続させる装置として極細線同軸ケーブル用コネクタ（以下、「ＳＧＣ用コネクタ」という。）が使用されている。
【０００４】
このような従来の各種のコネクタは、一般に、ＦＰＣ、ＦＦＣまたはＳＧＣの各信号線と電気的接続を図るケーブル側コネクタ（プラグ）と、基板の各信号線と電気的接続する基板側コネクタ（レセプタクル）とから構成され、ケーブル側コネクタを基板側コネクタに嵌着させると、ＦＰＣ、ＦＦＣまたはＳＧＣの各信号線と基板の各信号線との接続が図られる。
【０００５】
この従来のコネクタについて、ＦＰＣ用コネクタの場合を代表して説明すると、該コネクタは、ＦＰＣに形成された各グランド信号線と電気的接続を図るケーブル側コネクタと、基板に形成された導電パターンの各グランド信号線と電気的接続する基板側コネクタとから構成されている（例えば、特許文献１参照。）。
【０００６】
このうち、従来のケーブル側コネクタは、ＦＰＣを嵌挿する嵌挿口が形成されたインシュレータと、該インシュレータの外周を覆う導電性のシェルと、インシュレータ内に配設された１枚の導電性のプレートとから構成されており、このプレートには、嵌挿口に向け、複数本の舌片からなる第１のグランドコンタクトが形成されている（例えば、特許文献１参照。）。また、このプレートは、シェルに導通している。
【０００７】
このように構成される従来のケーブル側コネクタでは、インシュレータの嵌挿口にＦＰＣを嵌挿すると、ＦＰＣに配設された各グランド信号線は各第１のグランドコンタクトと接触して導通する。
【０００８】
また、このケーブル側コネクタのインシュレータには、嵌挿口と反対側に、基板側コネクタに嵌合する嵌挿片が形成されており、この嵌挿片には、上述したプレートの一端が延設されている。
【０００９】
一方、この従来のケーブル側コネクタに嵌着する基板側コネクタは、前記嵌挿片を嵌挿する嵌挿口が形成されたインシュレータと、該インシュレータ内に並設され、各先端が嵌挿口に向け配置された複数本の導電性の押圧片である第２のグランドコンタクトとから構成されており、このうちの第２のグランドコンタクトは、基板の各グランド信号線である導電パターンを介し、グランド接続されている。
【００１０】
この基板側コネクタの嵌挿口に従来のケーブル側コネクタの嵌挿片を嵌挿して該ケーブル側コネクタを基板側コネクタに嵌着すると、嵌挿片に延設されたプレートが第２のグランドコンタクトに接触し、これによりＦＰＣの各グランド信号線は、該プレートを介し、基板の各グランド信号線にグランド接続される。
【００１１】
また、この従来のケーブル側コネクタでは、シェルはプレートに導通しているので、シェルはプレートを介し基板のグランド信号線にグランド接続される。    このように従来のケーブル側コネクタでは、ケーブルの各グランド信号線に電気的接続する第１のグランドコンタクトを、インシュレータ内に配設されるプレートから構成し、該プレートをグランド接続するとともに、インシュレータの外周を該プレートに導通するシェルで覆っているので、ケーブルの各グランド信号線およびシェルはプレートを介しグランド接続され、これにより、電磁波障害の影響は可及的に防止されて、高速信号の伝送が確実に行われる。
【特許文献１】特開平１１−２８３７１０号公報
【発明の開示】
【発明が解決しようとする課題】
【００１２】
ところで、従来のケーブル側コネクタでは、上述したように、高速信号の伝送を確実にするため、ケーブルの各グランド信号線に電気的接続する第１のグランドコンタクトを、インシュレータ内のプレートから構成し、該プレートをグランド接続するとともに、インシュレータの外周を該プレートに導通するシェルで覆い、これにより、グランド接続を図るようにしているから、第１のグランドコンタクトとシェルとを独立部品として具えることが必要であり、そのため、部品点数が多く、これにより製造コストが高いという問題があった。
【００１３】
この発明は、上述した事情に鑑み、部品点数が少ない安価な高速伝送用のケーブル側コネクタを提供することを目的とする。
【課題を解決するための手段】
【００１４】
上述した課題を解決するため、この発明のケーブル側コネクタでは、ケーブルのグランド信号線と接続するグランドコンタクトを具え、外周が導電性のシェルで覆われるケーブル側コネクタにおいて、前記グランドコンタクトと前記シェルとを一体形成するようにしている。
【発明の効果】
【００１５】
この発明のケーブル側コネクタでは、外周を覆う導電性のシェルと、ケーブルのグランド信号線と接続するグランドコンタクトとを一体形成しているから、一体形成されたシェルおよびグランドコンタクトによるグランド接続によって電磁波障害の影響は可及的に防止され、これにより高速信号の伝送を確実に行うことができるとともに、グランドコンタクトおよびシェルをそれぞれ独立部品として配設しない分、部品点数が少なくなり、そのため、ケーブル側コネクタの製造コストを低下させることができる。
【００１６】
したがって、この発明のケーブルコネクタによれば、部品点数が少ない安価な高速伝送用のケーブル側コネクタを提供することができるので、これにより、安価で安定した動作を行うノート型パソコン等の小型電子機器を提供することができる。
【発明を実施するための最良の形態】
【００１７】
以下、この発明に係わるケーブル側コネクタの一実施例として、ＳＧＣ用コネクタのケーブル側コネクタ（以下、「ＳＧＣ用ケーブル側コネクタ」という。）について詳述する。
【００１８】
図１は、この発明に係わるＳＧＣ用ケーブル側コネクタを具えたＳＧＣ用コネクタの組立て分解概念斜視図である。  
図１に示すＳＧＣ用コネクタ２１は、本願発明のＳＧＣ用ケーブル側コネクタ１と、該ケーブル側コネクタ１を嵌着する基板側コネクタ２２とから構成されている。
【００１９】
このうち、本願発明のＳＧＣ用ケーブル側コネクタ１は、その組立て分解概念斜視図である図２で示すように、プラグ本体２と、プラグ本体２に嵌着するケーブルホルダ７とから構成されている。
【００２０】
このうち、プラグ本体２は、ケーブルホルダ７を嵌挿する嵌挿口３ａが形成されたインシュレータ３と、インシュレータ３の外周を覆う導電性のシェル（金属製）４とを具えている。
【００２１】
また、このうちのシェル４には、図２で示すように、嵌挿口３ａ側に複数本の切り欠４ｂが並設されており、該切り欠４ｂの各先端部には、図２のＡ−Ａ概念断面斜視図である図３のように、該先端部を嵌挿口３ａの内側下方へ向け折り曲げ形成した第１のグランドコンタクト４ａが配設されている。  
また、シェル４には、第１のグランドコンタクト４ａと対向して、板ばね部４ｄが折り曲げ形成されている。
【００２２】
また、インシュレータ３には、嵌挿口３ａと反対側に、嵌挿片３ｂが形成されており、この嵌挿片３ｂには、シェル４の他端部４ｃが延設されている。  
また、インシュレータ３内には、この第一のグランドコンタクト４ａ同士の間に位置する部分に、図２のＢ−Ｂ概念断面図で示す図４のように、導電性の押圧片５（金属製）が並設されており、該押圧片５の先端部には、該先端部を嵌挿口３ａの内側下方へ向け折り曲げて形成した第１のシグナルコンタクト５ａが配設されている。また、押圧片５の後端部５ｂはインシュレータ３の嵌挿片３ｂに延設されている。
【００２３】
一方、ケーブルホルダ７は、図２で示すように、所定ピッチで進行方向に沿い略Ｕ字状に折り曲げ形成された複数本のケーブル案内溝８ａと該ケーブル案内溝８ａの終端に形成された凹部９とを具えた絶縁体のケーブル載置部８と、該ケーブル載置部８の凹部９内に位置決め配置される導電性のグランドバー（金属製）１０とから構成されている。
【００２４】
このうち、グランドバー１０は、図４で示すように、複数本のＳＧＣ４１の各グランド信号線である各外部導体４１ａを一括して支承するとともに、該外部導体４１ａに導通している。
【００２５】
また、このグランドバー１０に支承される外部導体４１ａを具えた各ＳＧＣ４１は、各外部導体４１ａ内に配設される絶縁部４１ｂと、各絶縁部４１ｂ内に配設される内部導体４１ｃと、各外部導体４１ａを一括支承する外被部４１ｄとを具えている。また、このうちの各内部導体４１ｃは、ＳＧＣ４１の各シグナル信号線である。
【００２６】
図２および図４で示すケーブルホルダ７を製造するには、複数本のＳＧＣ４１の各外部導体４１ａが一括支承されたグランドバー１０を、ケーブル載置部８の凹部９内に位置決め配置し、その後、ＳＧＣ４１の各内部導体４１ｃを、対応する各ケーブル案内溝８ａに沿って略Ｕ字形状に折り曲げればよく、このようにすると、複数本の内部導体４１ｃは対応する各ケーブル案内溝８ａに沿って列状かつ略Ｕ字形状に折り曲げ配置される。
【００２７】
なお、図４の符号１２は、ケーブル載置部８の背面に形成された凹部であり、また、符号１３は、各内部導体４１ｃの端部を列状に配置するとともに該端部を一括支承する絶縁体であり、この絶縁体１３は凹部１２内に位置決め配置されている。
【００２８】
また図４の矢印Ｃで示すように、複数本のＳＧＣ４１を支承したケーブルホルダ７を、プラグ本体２の嵌挿口３ａに嵌挿すると、ケーブル側コネクタ１の要部概念断面図である図５で示すように、ケーブルホルダ７がプラグ本体２に装着し、これにより、ＳＧＣ用ケーブル側コネクタ１が組立てられる。
【００２９】
また、このように組立てられたＳＧＣ用ケーブル側コネクタ１では、ケーブルホルダ７は、第１のシグナルコンタクト５ａと板ばね部４ｄとの間に把持されるとともに、ケーブル側コネクタ１の要部概念断面斜視図である図６で示すように、第１のグランドコンタクト４ａと板ばね部４ｄとの間に把持される。
【００３０】
また、このようにケーブルホルダ７を把持する第１のグランドコンタクト４ａは、その把持と同時にグランドバー１０に当接し、これにより該グランドバー１０を介し、ＳＧＣ４１の各外部導体４１ａ（図５）に導通する。
【００３１】
また、ケーブルホルダ７を把持する第１のシグナルコンタクト５ａは、図５で示すように、その把持と同時にＳＧＣ４１の各内部導体４１ｃに当接して、該各内部導体４１ｃに導通する。
【００３２】
一方、この本願発明のＳＧＣ用ケーブル側コネクタ１とともに、ＳＧＣ用コネクタ２１を構成する基板側コネクタ２２は、図１で示すように、ケーブル側コネクタ１の嵌挿片３ｂを嵌挿する嵌挿口２３ａを具えたインシュレータ２３と、該インシュレータ２３の外周を覆うシェル２４とから構成されている。
【００３３】
このうちのインシュレータ２３内には、図７で示すように押圧片２５が配設されており、この押圧片２５は、ＳＧＣ用ケーブル側コネクタ１の押圧片５と対応する位置に並設されている。また、この押圧片２５の先端部には第２のシグナルコンタクト２５ａが配設されている。また、この各押圧片２５の後端部２５ｂは、図７および図１で示すように、インシュレータ２３の外部へ延設され、基板５１の各シグナル信号線である導電パターン５２に接続している。
【００３４】
また、インシュレータ２３内には、この押圧片２５と対向して、先端部に、第２のグランドコンタクト２６ｂを配設した押圧片２６ａが並設されている。
【００３５】
また、この各押圧片２６ａは、インシュレータ２３内に配設された１枚の導電性プレート２６（金属製）の一端に並設されている。
【００３６】
また、このプレート２６の他端２６ｃは、図１および図８で示すように、インシュレータ２３の外部へ延設され、基板５１の各グランド信号線である各導電パターン５３に接続されている。
【００３７】
なお、図７および図８は、いずれもＳＧＣ用ケーブル側コネクタ１が基板側コネクタ２２に嵌着した様子を示すＳＧＣ用コネクタ２１の要部概念断面図であって、特に図７は、第１のシグナルコンタクト５ａが基板５１のシグナル信号線５２と接続されている様子を示す図であり、図８は、第１のグランドコンタクト４ａが第２のグランドコンタクト２６ｂを介し基板５１のグランド信号線５３と接続されている様子を示す図である。
【００３８】
また、シェル２４には、第２のグランドコンタクト２６ｂの下方に、板ばね部２４ａが折り曲げ形成されている。
【００３９】
また、この図７及び図８で示すように、基板側コネクタ２２の嵌挿口２３ａに、本願発明のＳＧＣ用ケーブルコネクタ１の嵌挿片３ｂを嵌挿し、該ケーブル側コネクタ１を基板側コネクタ２２に嵌着すると、嵌挿片３ｂは第２のシグナルコンタクト２５ａと第２のグランドコンタクト２６ｂとの間に嵌挿して第２のグランドコンタクト２６ｂを下方の板ばね部２４ａに接触させ、これにより第２のグランドコンタクト２６ｂと板ばね部２４ａとが導通する。またケーブル側コネクタ１の嵌挿片３ｂは、同時に、板ばね部２４ａの弾発力によって、第２のグランドコンタクト２６ｂと第２のシグナルコンタクト２５ａとの間に把持される。
【００４０】
また、第２のシグナルコンタクト２５ａは、この嵌挿片３ｂの把持と同時に、押圧片５の後端部５ｂに当接し、また、第２のグランドコンタクト２６ｂはケーブル側コネクタ１のシェル４の後端部４ｃに当接する。
【００４１】
したがって、複数本のＳＧＣ４１の各外部導体４１ａは、第１のグランドコンタクト４ａが形成されたシェル４、及び第２のグランドコンタクト２６ｂを介し、基板５１の各導電パターン５３にグランド接続され、また、複数本のＳＧＣ４１の各内部導体４１ｃは、図７の第１のシグナルコンタクト５ａ、及び第２のシグナルコンタクト２５ａを介し基板５１の各導電パターン５２に接続される。
【００４２】
なお、基板側コネクタ２２のシェル２４も、第２のグランドコンタクト２６ｂに導通するので、該第２のグランドコンタクト２６ｂを介し各導電パターン５３にグランド接続される。
【００４３】
このように、本願発明のＳＧＣ用ケーブル側コネクタ１では、ＳＧＣ４１のグランド信号線である外部導体４１ａと接続する第１のグランドコンタクト４ａと、インシュレータ３の外周を覆う導電性のシェル４とを一体形成することとし、この一体形成された第１のグランドコンタクト４ａ及びシェル４を、グランド接続するようにしているから、電磁波障害の影響は可及的に防止されて高速信号の伝送を確実に行うことができるとともに、第１のグランドコンタクト４ａとシェル４とを独立部品として配設しない分、部品点数が少なくなり、そのため、ケーブル側コネクタ１の製造コストを低下させることができる。
【００４４】
なお、この実施例のケーブル用コネクタ１では、ケーブルホルダ７に複数本のＳＧＣ４１を位置決め支承させ、これにより、該ケーブルコネクタをＳＧＣ用ケーブル側コネクタとして使用しているが、この発明のケーブル側コネクタはこれに限定されず、可撓性金属導体を接続させるケーブル側コネクタであればよく、例えば、この発明のケーブル側コネクタ１のケーブルホルダ７にＦＰＣを位置決め支承させ、該ケーブル側コネクタをＦＰＣ用ケーブル側コネクタとしてもよいし、また、この発明のケーブル側コネクタ１のケーブルホルダ７にＦＦＣを位置決め支承させて、該ケーブル側コネクタをＦＦＣ用ケーブル側コネクタとしてもよい。
【００４５】
なお、この発明のケーブル側コネクタにより、ＦＰＣ用ケーブル側コネクタ、またはＦＦＣ用コネクタのケーブル側コネクタを製造する場合には、プラグ本体２の第１のグランドコンタクト４ａを、ケーブルホルダ７に支承されたＦＰＣまたはＦＦＣの各グランド信号線に直接接触させて、グランド接続を図ってもよく、その場合には、ケーブルホルダ７にケーブル案内溝８ａやグランドバー１０を配設する必要はない。
【００４６】
なお、この実施例のケーブル側コネクタ１に使用された複数本のＳＧＣ４１は外被部４１ｄにより、予め各外部導体４ａが一括支承されたものであるが、この発明のケーブル側コネクタ１に使用される複数本のＳＧＣ４１は、このタイプのＳＧＣ４１に限定されず、たとえば、複数本のＳＧＣ４１は、分離可能な独立した複数本のＳＧＣ４１からなるものでもよく、このような独立した複数本のＳＧＣ４１をケーブルホルダ７に配設する場合には、この複数本のＳＧＣ４１は、グランドバー１０によってはじめて一括支承され、ケーブル載置部８に位置決めされることとなる。
【図面の簡単な説明】
【００４７】
【図１】図１は、この発明に係わるケーブル側コネクタの一実施例であるＳＧＣ用ケーブル側コネクタと、該ＳＧＣ用ケーブル側コネクタに嵌着する基板側コネクタとからなるＳＧＣ用コネクタの組立て分解概念斜視図。
【図２】図２は、この発明に係わるケーブル側コネクタの一実施例であるＳＧＣ用ケーブル側コネクタの組立て分解概念斜視図。
【図３】図３は、図２のＡ−Ａ概念断面斜視図。
【図４】図４は、図２のＢ−Ｂ概念断面図。
【図５】図５は、図２のＳＧＣ用ケーブル側コネクタの要部概念断面図であって、第１のシグナルコンタクトと、ＳＧＣのシグナル信号線とが接続されている様子を示す図。
【図６】図６は、図２のＳＧＣ用ケーブル側コネクタの要部概念断面斜視図であって、第１のグランドコンタクトと、ＳＧＣのグランド信号線とが接続されている様子を示す図。
【図７】図７は、図１のＳＧＣ用コネクタの要部概念断面図で、ＳＧＣのシグナル信号線が第１のシグナルコンタクトを介し基板のシグナル信号線と接続されている様子を示す図。
【図８】図８は、図１のＳＧＣ用コネクタの要部概念断面図で、ＳＧＣのグランド信号線が第１のグランドコンタクトを介し基板のグランド信号線と接続されている様子を示す図。
【符号の説明】
【００４８】
１…ケーブル側コネクタ
４…シェル
４ａ…グランドコンタクト
４１…ケーブル
４１ａ…グランド信号線
【図１】
2006100105.tif 000003
【図２】
2006100105.tif 000004
【図３】
2006100105.tif 000005
【図４】
2006100105.tif 000006
【図５】
2006100105.tif 000007
【図６】
2006100105.tif 000008
【図７】
2006100105.tif 000009
【図８】
2006100105.tif 000010